(57)【特許請求の範囲】
【請求項１】
多数の電話番号をその相手先名称と対応させて登録する手段を有し、交換局から電話回線を介して発呼中の相手の電話番号信号を受信及び記憶可能とする通信端末装置において、通話中または通信中にて、受信した電話番号信号に基づいて通話相手の電話番号を表示し、スイッチ操作によりその電話番号を登録可能とし、該スイッチ操作をして通話または通信が終了すると、その電話番号の相手先名称を入力する状態に移行することを特徴とする通信端末装置。
【発明の詳細な説明】
【０００１】
【発明の属する技術分野】
本発明は、通信端末装置における電話番号（ファックス番号を含むものとする）の登録作業を容易化する構造に関する。
【０００２】
【従来の技術】
従来、電話機やファクシミリ装置等の通信端末装置において、ワンタッチダイヤルや短縮ダイヤル等、多数の電話番号を、その番号の相手先名称と対応して登録可能な電子電話帳機能を有するものがある。また、近年、交換局より電話番号の信号を着呼先に送信し、着信前にその電話番号を着呼先の通信端末装置に表示する通信サービスが見られるようになった。勿論、このサービスを受けるためには、電話番号の信号を受信し、それを表示する機能を有する通信端末装置が必要である。
【０００３】
【発明が解決しようとする課題】
ところが、多数の電話番号を電子電話帳に登録する作業は、電話番号の各数字を一々操作パネル上の数字キーにて入力する手間が必要であり、煩雑である。その点で、前記の相手先の電話番号信号を受信できる通信サービスを受けている場合に、その電話番号を表示する機能に加えて、記憶する機能を設ければ、相手が電話をしてきた時を利用して、記憶しておいたその電話番号をそのまま登録することが可能となる。
【０００４】
【課題を解決するための手段】
本発明は、以上のような課題を解決すべく、次のような手段を用いるものである。即ち、多数の電話番号をその相手先名称と対応させて登録する手段を有し、交換局から電話回線を介して発呼中の相手の電話番号信号を受信及び記憶可能とする通信端末装置において、通話中または通信中にて、受信した電話番号信号に基づいて通話相手の電話番号を表示し、スイッチ操作によりその電話番号を登録可能とし、該スイッチ操作をして通話または通信が終了すると、その電話番号の相手先名称を入力する状態に移行する構成とする。
【０００７】
【発明の実施の形態】
本発明の実施の形態を、添付の図面をもとに説明する。図１は本発明の自動発呼手段を備える通信端末装置としてのファクシミリ装置の制御ブロック図、図２は本発明の通信端末装置における電話番号登録フローチャート図である。
【０００８】
図１より、本発明の実施例としてのファクシミリ装置の制御系統を説明する。なお、交換局より発呼した相手先の電話番号信号を受信する通信サービスを受けていることを前提とする。まず、相手先が発呼すると、交換局から呼出し信号が送出される。呼出し信号は電話回線Ｌを通して伝送され、留守番電話機５とモデム２とを切換制御する回線制御部３を通り、モデム２において呼出し信号間に送信される電話番号信号Ｎが検出されて中央処理部１に入力される。この受信した電話番号信号Ｎは、着呼した時点で、着信前に表示部（ディスプレイ）８に表示できる。更にこれを、ＲＡＭ６の中に設けた電子電話帳である電話番号記憶部６ａに記憶させることができる。
【０００９】
また、ファクシミリ装置の操作パネル７には、電話帳登録スイッチ７ａが具備されており、このスイッチ操作に基づいて、ＲＡＭ６の電話番号記憶部６ａに、受信した電話番号信号Ｎを記憶させることができる。つまり、電話番号の登録作業に際して、スイッチ一つの操作でその電話番号を記憶させることができ、一々その番号をキーで入力する手間が省ける。なお、相手先名称入力キー７ｂ（例えば、複数のカナ文字キーやローマ字キーにてなるもの。）が具備されており、記憶した電話番号信号Ｎの電話番号先の名称を入力して、その電話番号と関連して該電話番号記憶部６ａに記憶させることができる。
【００１０】
電話番号記憶部６ａに登録した電話番号は、ワンタッチダイヤルや短縮ダイヤル等で自動発呼できる。この自動発呼手段として、自動的にダイヤル操作をするオートダイアラ４を装備している。
【００１１】
その他、このファクシミリ装置には、制御プログラム等を記憶するＲＯＭ５が中央処理装置１の入力手段として装備されており、また、ファクシミリ機能としての、読取部９及び記録部１０を備えている。
【００１２】
以上のような装置構成であることを前提として、まず、その着信フローチャートを図２より説明する。まず、着呼されると（Ｓ１）、呼出し信号間の相手先の電話番号信号Ｎが受信され（Ｓ２）、着信に先立ち、この電話番号が表示部８にて表示される（Ｓ３）。この表示をもとに、通話したくない相手先であればオフフックしない判断をして（Ｓ４）、呼出終了を待つ（Ｓ５）ことも可能である。オフフックして（Ｓ６）、通話（Ｓ７）中に、電話帳登録スイッチ７ａをＯＮすると（Ｓ８）、オンフック（通話終了）した時に（Ｓ９）、相手先入力キー７ｂにてその相手先名称を入力する状態に移行し（Ｓ１０）、これを入力して、電子電話帳（ＲＡＭ６の電話番号記憶部６ａ）への登録が完了する（Ｓ１１）。
【００１３】
なお、通話中はとっさに登録するかどうかを判断できない場合がある。このことを考えて、受信した電話番号信号Ｎを記憶しておき、オンフック後（Ｓ１３）に、記憶しておいた電話番号信号Ｎをもとに表示部８に電話番号の表示を継続させる（Ｓ１４）。これをもとにして、電話帳登録スイッチ７ａをＯＮすると（Ｓ１５）、相手先名称入力キー７ｂでその相手先名称を入力する状態に移行し（Ｓ１０）、該相手先名称入力キー７ｂにて相手先名称を入力して、先に記憶しておいた電話番号と関連させて、電子電話帳に登録することができる（Ｓ１１）。また、表示部８の表示から、登録しないことを判断すれば、スイッチ操作、或いは規定の設定時間の経過等により、電話番号の表示を停止し（Ｓ１６）、電話番号信号Ｎの記憶も消去される（Ｓ１７）。
【００１４】
以上は、相手が電話をしてきた場合のことを想定したものであるが、相手がファックス通信をしてきた場合には、交換局より電話番号信号を受信する通信サービスを受けることなく、着信とともに相手先のファックス番号が表示される機能が従来よりある。つまり、図２中のＳ２の電話番号表示を、着信後における相手のファックス番号表示と置き換えれば、後の流れは同様であって、通信中や通信終了後の電話帳登録スイッチ７ａのＯＮにより、ファックス番号を電子電話帳に登録できるのである。
【００１５】
【発明の効果】
本発明は以上のように通信端末装置を構成するので、次のような効果を奏するものである。まず、請求項１記載の如く構成することで、通話または通信中のスイッチ一つの操作にて、その相手の電話番号を電子電話帳に登録させることができ、登録に際しての電話番号の各数字をキーにて一つ一つ入力する手間を省くことができる。
【００１６】
また、請求項１記載の構成において、通話または通信中のスイッチ操作後、通話が終了（オンフック）すると、自動的に相手先名称の入力状態に移行するようにすることで、より登録作業が簡便になる。
【図面の簡単な説明】
【図１】本発明の自動発呼手段を備える通信端末装置としてのファクシミリ装置の制御ブロック図である。
【図２】本発明の通信端末装置における電話番号登録フローチャート図である。
【符号の説明】
１        中央処理部
２        モデム
３        回線制御部
４        オートダイアラ
５        ＲＯＭ
６        ＲＡＭ
６ａ      電話番号記憶部（電子電話帳）
７        操作パネル
７ａ      電話帳登録スイッチ
７ｂ      相手先名称入力キー
８        表示部（ディスプレイ）
９        読取部
１０      記録部
【図１】
0003633192.tif 000002
【図２】
0003633192.tif 000003